(57)【特許請求の範囲】
【請求項１】
注出筒部を有し容器の口部に保持されるベースと、該注出筒部の内側に一体成形され破断予定溝に沿う引きちぎりによって注出開口を形成する密閉壁と、該密閉壁に支柱を介して接続し該密閉壁の引きちぎりを司るプルリングとを備えた注出キャップであって、
前記プルリングは、前記密閉壁に向けて伸延する少なくとも１つの支持部を有し、該支持部は前記プルリングの厚さよりも薄く、また前記支持部は、切り込みを入れて破断しやすくした弱化部を介して該密閉壁に連結すると共に、前記プルリングとの連結部に円弧部を設けて滑らかにつながっていることを特徴とする注出キャップ。
【請求項２】
前記少なくとも１つの支持部を、前記支柱に対し前記注出開口を挟んで対向配置で設ける請求項１に記載の注出キャップ。
【発明の詳細な説明】
【技術分野】
【０００１】
本発明は、プルリングを引き上げることによって密閉壁を引きちぎって開封する注出キャップに関するものである。
【背景技術】
【０００２】
食用油をはじめ、醤油やドレッシング等の調味材、飲料等を入れる容器は、その口部に、プルリングを引き上げることによって密閉壁を引きちぎって開封するバージンタイプの注出キャップを装着するものが多数上市されている。
【０００３】
このような注出キャップは、簡単に開封できることが望まれていて、その一つとして特許文献１には、プルリングの指掛かり部を、注出筒片外に突出する程度に、斜め上方に立ち上げた姿勢に成形することで、プルリングに指を挿入しやすくした注出キャップが示されている。
【先行技術文献】
【特許文献】
【０００４】
【特許文献１】特開２００２−１５４５７０号公報
【発明の概要】
【発明が解決しようとする課題】
【０００５】
ところで、このような注出キャップにおいてプルリングは、その外周の一部を密閉壁から立ち上がる１本の支柱に連結して片持ち支持されるものであるため、成形時のばらつき等によっては斜め下方に倒れ込み変形することがあり、特に加熱充填用の耐熱キャップにおいては、その変形の頻度が高くなる傾向があった。このため、特許文献１に記載の注出キャップのように、予めプルリングを斜め上方に立ち上げた姿勢で成形するようにしていても、プルリングに指が挿入しづらくなることがあり、この点について改善の余地が残されていた。
【０００６】
本発明は、このような従来の問題点を解決することを課題とするものであり、その目的は、プルリングの位置を安定させて指を挿入しやすくすることで、密閉壁の引きちぎりが簡単に行える、新規の注出キャップを提案するところにある。
【課題を解決するための手段】
【０００７】
本発明は、注出筒部を有し容器の口部に保持されるベースと、該注出筒部の内側に一体成形され破断予定溝に沿う引きちぎりによって注出開口を形成する密閉壁と、該密閉壁に支柱を介して接続し該密閉壁の引きちぎりを司るプルリングとを備えた注出キャップであって、
前記プルリングは、前記密閉壁に向けて伸延する少なくとも１つの支持部を有し、該支持部は前記プルリングの厚さよりも薄く、また前記支持部は、切り込みを入れて破断しやすくした弱化部を介して該密閉壁に連結すると共に、前記プルリングとの連結部に円弧部を設けて滑らかにつながっていることを特徴とする注出キャップである。
【０００８】
前記少なくとも１つの支持部を、前記支柱に対し前記注出開口を挟んで対向配置で設けることが好ましい。
【発明の効果】
【００１０】
密閉壁に支柱を介して接続したプルリングに、密閉壁に向けて伸延する少なくとも１つの支持部を設け、この支持部は、弱化部を介して密閉壁に連結したので、プルリングを支柱と支持部で保持することができ、プルリングが斜め下方に倒れ込む変形を防止することができるので、プルリングに指が挿入しづらくなることがなくなる。しかも支持部は、弱化部にて密閉壁と連結しているので、プルリングに指を挿入して引き上げると簡単に破断させることができる。また、支持部を、プルリングの厚さよりも薄くしたので、プルリングに指を挿入して引き上げる際、プルリングよりも相対的に強度が弱くなる支持部は、プルリングとの連結部で曲げられて指先に滑らかに当たることになるので、引き上げに伴い指先に痛みを感じさせることがない。
【００１１】
少なくとも１つの支持部を、支柱に対し注出開口を挟んで対向配置で設ける場合は、プルリングが斜め下方へ倒れ込み変形した際に最も下方に位置する部位が、支持部にて保持されるので、倒れ込み変形をより効果的に防止することができる。
【図面の簡単な説明】
【００１３】
【図１】本発明に従う注出キャップの実施の形態を示す、側面視での断面図である。
【図２】図１に示す矢印Ａに沿う断面図である。
【図３】図１に示す注出キャップのプルリングに指を挿入して、このプルリングを引き上げる状態を示す説明図である。
【発明を実施するための形態】
【００１４】
以下、図面を参照して、本発明をより具体的に説明する。
図１は、本発明に従う注出キャップの実施の形態を示す、側面視での断面図であって、図２は、図１に示す矢印Ａに沿う断面図であって、図３は、図１に示す注出キャップのプルリングに指を挿入して、このプルリングを引き上げる状態を示す説明図である。
【００１５】
図１において、符号１０は、同図に二点鎖線で示す容器の口部に装着されるベースである。ベース１０は、容器の口部を取り囲む環状壁１１を備えていて、その半径方向内側には、環状壁１１との間で下向きの環状空間を形成するとともにこの環状空間にて容器の口部を保持する内周壁１２を設けている。また、環状壁１１の内周面には、容器の口部に係合するアンダーカット部１３を備えている。さらに環状壁１１の上部には、後述する蓋体を係止する係合部１４を設けている。
【００１６】
環状壁１１の外周側には、外周壁１５を設けている。外周壁１５は、周方向に間隔をおいて配置される複数の破断可能な連結片１６ａ及び破断不能な連結部１６ｂにて、環状壁１１の下端部と連結している。これにより、使用後の分別廃棄時は、後述する蓋体４０を引き上げると、連結片１６ａが破断して外周壁１５の大部分が環状壁１１から切り離されるとともに、連結部１６ｂを介して蓋体４０とつながる環状壁１１の一部もそのまま引き上げられるので、容器の口部からベース１０を容易に取り外すことができる。
【００１７】
環状壁１１の内周側には、内周壁１２の下端と一体連結して起立する注出筒部１７を設けている。注出筒部１７は、その内側を、後述する注出開口から流出させた内容物の流通路とするものであり、また、注出筒部１７の上端は、内容物の液切れ性を高める為に、外周側に湾曲するリップを備えている。
【００１８】
符号２０は、注出筒部１７の内周側で一体連結する密閉壁である。密閉壁２０には、図示の例では密閉壁２０の下面側を凹とする環状の破断予定溝２１が設けられていて、この破断予定溝２１に沿って引きちぎって破断予定溝２１の内側部分を取り除くことで、容器の内側に通じる注出開口を形成する。
【００１９】
符号３０は、プルリングである。図示の例でプルリング３０は、平面視にて環状となっていて、その外周の一部分に支柱３１を一体連結している。また支柱３１は、破断予定溝２１の内側部分の密閉壁２０に一体連結している。
【００２０】
さらにプルリング３０は、密閉壁２０に向けて伸延する少なくとも１つの支持部を備えている。図示の例では、１つの支持部３２を、支柱３１に対して反対側（注出開口を挟んで対向する位置）に設けている。支持部３２は、図２に示すように、密閉壁２０に向けて先細りとなる幅でもって伸延するものであり、密閉壁２０とは、切り込みを入れて破断しやすくした弱化部３３を介して一体連結している。これにより、プルリング３０は、支柱３１と支持部３２にて保持されるので、その位置を安定させることができる。
【００２１】
また、支持部３２は、図１に示すように、プルリング３０の厚さよりも薄くなっている。さらに、図２に示すように支持部３２は、プルリング３０との連結部に円弧部３４を設けて滑らかにつながっている。
【００２２】
符号４０は、蓋体である。蓋体４０は、円板状の天壁４１の縁部を取り囲む周壁４２を備えている。また、周壁４２の内面には、ベース１０に設けた係合部１４に連係する被係合部４３を設け、周壁４２の外側には、ベース１０の外周壁１５と連結するヒンジｈを設けている。これによって蓋体４０は、ベース１０に揺動可能に保持されていて、蓋体４０を閉めると、係合部１４及び被係合部４３が連係してその閉鎖姿勢が維持される。また、天壁４１には、蓋体４０の閉鎖姿勢にて注出筒部１７の内周面に気密に当接する筒状のシール壁４４を備えている。
【００２３】
図示の例で蓋体４０は、ヒンジｈにてベース１０に一体連結するヒンジキャップであるが、ねじを介してベースに着脱自在に装着するものや、アンダーカットにて係合させるもの等、各種の蓋体を用いることができる。
【００２４】
上記のように構成される注出キャップを開封するには、図１に示す閉鎖姿勢の蓋体４０を開放し、図３に示すように、プルリング３０に指を挿入して引き上げる。この時、支持部３２は、弱化部３３にて容易に破断するので、プルリング３０の引き上げが妨げられることはない。また、支持部３２は、プルリング３０の厚さよりも薄くなっているため、プルリング３０に挿入した指によってプルリング３０との連結部において曲げられて、指先に滑らかに当たることになるので、引き上げに伴い指先に痛みを感じさせることがない。また、支持部３２は、プルリング３０との連結部に円弧部３４を設けて滑らかにつながっているので、局所的な力の作用によってこの連結部が破断するおそれがなくなり、所期した通り、弱化部３３での破断を誘導することができる。
【００２５】
支持部３２は、少なくとも１つ設ければよいが、複数設ける場合は、支柱３１を含め、プルリング３０の外周に沿って等間隔で設けることが好ましく、これにより、プルリング３０の支持に偏りがなくなるので、プルリング３０の位置をより安定させることができる。
【産業上の利用可能性】
【００２６】
本発明によれば、プルリングが斜め下方に倒れ込むことがなくなるので、プルリングに指を容易に挿入することができ、密閉壁の引きちぎりが簡単となる注出キャップを提供することができる。
【符号の説明】
【００２７】
１０  ベース
１７  注出筒部
２０  密閉壁
２１  破断予定溝
３０  プルリング
３１  支柱
３２  支持部
３３  弱化部
【図１】
0005819761.tif 000002
【図２】
0005819761.tif 000003
【図３】
0005819761.tif 000004